(57)【要約】本発明の目的は、のちほどカービング（carving、切り込みスキー）または伝統的なスキー、水上スキー、スノーボードをする初心者のスキーヤーまたはプロのスキーヤーの両方に使用されることを意図したスキー練習とリハビリテーション用装置である。本発明に従う装置は、上部駆動ロール１１および下部駆動ロール１３と併せてその間に回転可能な滑走ロール１２を具備し、これらはフレームaの斜めの側面桁４、５にアーチbに沿って配列し、該アーチは回転可能な滑走ロール１２、下部駆動ロール１３および上部駆動ロール１１と共に２―４cm高さの硬い弾性剛毛の生えたマット形状をしているエンドレス滑降走行帯１４の内部側面の接点により形成され、ここで該エンドレス滑降走行帯１４と該上部駆動ロール１１の接点Ａは最も高い点にあり、そして接点Ａとエンドレス滑降走行帯１４と該下部駆動ロール１３との接点Ｂをつなぐ直線ｃおよび該アーチｂ上の最も離れた点Ｄを通って直線ｃに垂直な垂線ｆは２ｃｍから５ｃｍの距離ｄをなし、固定帯１５またはカバー２３にはグリップハンドル２０と２１を具備する支持ステッキ１５が該可動滑降走行帯１４の上方に位置して設けられている。固定帯１５が下部駆動ロール１３の下方に位置する一方、該支持ステッキ１９は該グリップハンドル２０と２１下方の該フレームaの輪郭の外方へ凸状であるアーチ形状をなす。
2004522521.tif 000002
【特許請求の範囲】
【請求項１】
駆動モーター、減速ギア−、ベルト変速機、フレームおよび支持ステッキ上のＯＮ／ＯＦＦスイッチを具備するスキー練習とリハビリテーション装置であって、該装置は上部駆動ロール１１および下部駆動ロール１３と併せてその間に回転可能な滑走ロール１２を具備し、これらはフレームaの傾斜側面桁４、５にアーチbに沿って配列し、該アーチは回転可能な滑走ロール１２、下部駆動ロール１３および上部駆動ロール１１と共に２―４cm高さの硬い弾性剛毛の生えたマット形状をなすエンドレス滑降走行帯１４の内側の接点により形成され、ここで該エンドレス滑降走行帯１４と該上部駆動ロール１１の接点Ａは最も高い点にあり、そして接点Ａとエンドレス滑降走行帯１４と該下部駆動ロール１３との接点Ｂをつなぐ直線ｃおよび該アーチｂ上の最も離れた点Ｄを通って直線ｃに垂直な垂線ｆは２ｃｍから５ｃｍの距離ｄをなし、固定帯１５またはカバー２３にはグリップハンドル２０と２１を具備する支持ステッキ１５が該可動滑降走行帯１４の上方に位置して設けられている。
【請求項２】
固定帯１５が下部駆動ロール１３の下方に位置する請求項１に従う装置。
【請求項３】
該支持ステッキ１９が該グリップハンドル２０と２１の下方で該フレームaの輪郭の外方へ凸状であるアーチ形状をなす請求項１に従う装置。
【発明の詳細な説明】
【技術分野】
【０００１】
本発明の目的は、あとでカービング（carving、切り込みスキー）または伝統的なスキー、水上スキー、スノーボードをすることになる初心者のスキーヤーまたはプロのスキーヤーの両方に使用できることを意図したスキー練習とリハビリテーション用装置である。この装置はリハビリテーション用にも使用できる。
【０００２】
ポーランド特許第３１５２７７号に開示される本スキー練習装置は走行デッキを備え、これは基礎フレームの上に位置し、二つの駆動レバーが回転可能に取りつけられている。デッキは、スキーの自由な動作をさせる部材、スキーを把持する主部材、可動ピボットを有するスキーホルダー、駆動軸下部に位置するトラックロールの列、固定された弾性的で剛毛の生えたマットを有する。少なくとも一つの弾性部材が基礎フレーム上に偏心して戴置される。
【０００３】
この装置(solution)の欠点は片寄ったただ一つの目的しかない有用性である。種々のスキー器具を使うこと、リハリビテーションに使うこと、また最も重要なことは初心者、特に児童が使うこと等の可能性がないのである。何故ならば、スキーの自由動作をさせるスプリング部材がスキーの自由行動を制限しそしてスキーをする訓練者に常時集中することを強制する。
【０００４】
本発明の目的は、スキーの５種の形式のいずれでもスキーの練習ができ、併せて多くの人の器官のリハビリテーションにも使える装置を設計することである。
【０００５】
本発明の特徴は下方に上部駆動ロールと下部駆動ロール、その間に回転可能な滑りロール（rotable glide roles）、これらは全て側面フレーム桁(side frame beams)に円弧状に傾斜して配置され、２―４cm長さの硬い弾性剛毛(stiff and springing bristle)が生えたマット態様のエンドレスで滑動可能な滑降走行帯(endless slidable downhill-run strip)の内側接点および上部駆動ロールにより形成され、ここで接点Ａおよび滑降帯の内側と下部駆動ロールとの接点Ｂを通る直線ならびにアーチの最も外側の点であるポイントＤを通る垂線は長さ４ｃｍの距離を構成し、ここで、固定帯に戴置された支持ステッキ(support sticks)は可動滑降走行帯上に位置するグリップハンドルを有する。
【０００６】
固定帯は好ましくは下部駆動ロールの下方に位置する。支持ステッキは、好ましくはアーチ状で、グリップハンドル下方にアーチはフレーム輪郭の外側に凸をなす。
【０００７】
本発明の特徴は、カービング、滑降、クロスカントリー、水上スキーおよびスノーボード等へ広範に適用できる点にある。スキーを習いたい初心者同様上級スキー訓練者にも適用可能である。さらに、本装置は関節機能のリハビリテーション、足裏の感覚を刺激することによる足のマッサージ、血液循環の刺激、および同様に２種の異なる上りと下りの坂におけるクロスカントリーのスキー練習にも利用できる。滑降スキー練習では、オプションで装置は’アルペン’、滑降スキーに特に必要とされるスキーヤーの体調を完璧にする。
【０００８】
本発明は図により具体例を提示すると、図１は、駆動部を含む装置フレーム骨格の斜視図であり、図２は、滑降走行帯部、固定帯およびカバー部を含む支持ステッキを有する装置を示し、図３は図２のＡ−Ａ線に沿った断面図である。
【０００９】
スキー練習およびリハビリテーション装置は、駆動モーター１、減速ギア２、ベルト変速機３、骨組みのフレームａを具備する。骨組みの輪郭は、アーチが上向きの上部アーチ状で傾斜した側面フレーム桁４、５、底部の横木(cross  bar)７、支持の垂直桁８および底部の側面桁９により構成される。下部駆動ロール１３の下には横木(cross  bar)１０がある。上部の側面桁４、５は、上部駆動ロール１１と下部駆動ロール１３を回転可能に戴置し、またその間に回転可能な滑動ロール１２が戴置され、これらは上部側面桁４，５のアーチｂに沿って配置され、アーチｂは、回転可能な滑動ロール１２、上部駆動ロール１１および下部駆動ロール１３と共に３ｃｍ高さの硬い弾性剛毛の生えたマットの形状をなすエンドレス滑降走行帯１４の内側面の接点により形成される。エンドレス滑降走行帯１４と上部駆動ロール１１の接点は最も高い点にあり、接点Ａとエンドレス滑降走行帯１４と下部駆動ロール１３との接点Ｂとをつなぐ直線ｃおよびアーチｂの最も離れた点としての点Ｄを通る直線ｃに対して垂直な垂線ｆは４ｃｍの距離ｄをなす。支持ステッキ１９は、固定帯１５またはカバー２３上に設けられる。そのグリップハンドル２０、２１は可動の滑降走行帯１４の上方に位置する。グリップハンドル２０、２１の下部では、支持ステッキはフレームa輪郭の外方に向けて凸状のアーチ形状をなし，訓練者の身体に合うようにその長さは伸びている。グリップハンドル２０、２１にはＯＮ／ＯＦＦのスイッチ１８がついている。固定帯１５は下部駆動ロール１３の下に位置し底部の横木１０に対して固定されている。上部側面フレーム桁４、５のカバー帯１６は、ガラス状マットでできている。フレームaの骨組は、その正面仕上げとして両側にカバー２２と防護カバー２３を具備する。
【００１０】
この装置の滑降走行構造は動きが調整可能でスキーヤーは一箇所にとどまって、所定の速度で所定の斜面を滑降走行する。
【００１１】
本装置は次のように機能する：訓練者の乗った下向きのスキーが可動滑降走行帯１４上にある。訓練者はＯＮ／ＯＦＦスイッチ１８を使って駆動モーター１をスタートさせ、そのモーターは減速ギアとベルト変速機３を経由して上部駆動ロール１１を駆動する。上部駆動ロール１１は他のベルト変速機２を経由して下部駆動ロール１３を駆動する。両方の駆動ロールは、回転可能な滑動ロール１２上を滑走する可動滑降走行帯１４を駆動し、その後訓練者は支持ステッキ１９のグリップハンドル２０、２１を把持し、滑降スキーの間にとる全ての動きをする練習を開始する。種々の形のスキーを使用して訓練者は各種の操作をすることができる。スキーなしでも、訓練者は、靴があっても無くても、上ったり下ったりでき、そして各種のリハビリテーションのための訓練をなすことができる。訓練者はモーターのスイッチを切って滑降走行帯１４の動きを停止することができる。初心者、特に児童には、支持ステッキ１９の間に渡した水平の支持棒を固定することができる。訓練者はこれを使う間、スキーの配置とリフト等、操作に集中でき、このようにして滑降スキーに習熟する。装置は水上スキーの訓練にも使用できる。そのためにはモーター１は回転を反転させ滑降走行帯１４を逆方向に動かす一方、支持ステッキ１９はカバー２３上に設ける。
【図面の簡単な説明】
【００１２】
【図１】駆動部を含む装置フレーム骨格の斜視図である。
【図２】滑降走行帯部、固定帯およびカバー部を含む支持ステッキを有する装置を示す。
【図３】図２のＡ−Ａ線に沿った断面図である。
【国際公開パンフレット】
2004522521.tif 000003
2004522521.tif 000004
2004522521.tif 000005
2004522521.tif 000006
2004522521.tif 000007
2004522521.tif 000008
2004522521.tif 000009
2004522521.tif 000010
2004522521.tif 000011
【国際調査報告】
2004522521.tif 000012
2004522521.tif 000013